(57)【要約】【課題】アナログ公衆回線や構内交換機に接続して使用する通信装置において、安価で、省スペースで、省電力である通信手段を提供することを目的とするものである。【解決手段】電話回線に接続して通信する第１通信手段と、上記第１通信手段を経由して電話回線に接続して通信する第２通信手段を接続するための接続手段とを具備する通信装置において、上記第１通信手段は、電話回線を、上記第１通信手段、または上記第２通信手段に接続する第１スイッチ手段と、電話回線と上記第１スイッチ手段との間のライン間に接続し、ダイヤルパルスを生成する第２スイッチ手段とを有し、上記第２スイッチ手段によるダイヤルパルス生成時に、上記第１スイッチ手段を、上記接続手段へ接続する通信装置である。【選択図】　図１
2004064602.tif 000002
【特許請求の範囲】
【請求項１】
電話回線に接続して通信する第１通信手段と、上記第１通信手段を経由して上記電話回線に接続して通信する第２通信手段を接続するための接続手段とを具備する通信装置において、
上記第１通信手段は、
上記電話回線を、上記第１通信手段、または上記第２通信手段に接続する第１スイッチ手段と；
上記電話回線と上記第１スイッチ手段との間のライン間に接続し、ダイヤルパルスを生成する第２スイッチ手段と；
を有し、上記第２スイッチ手段によるダイヤルパルス生成時に、上記第１スイッチ手段を、上記接続手段へ接続することを特徴とする通信装置。
【請求項２】
請求項１において、
上記第２通信手段を、上記第１スイッチ手段と接続し、切断する第３スイッチ手段を有し、
上記第２スイッチ手段によるダイヤルパルス生成時に、上記第３スイッチ手段を切断側にすることを特徴とする通信装置。
【請求項３】
電話回線に接続して通信する通信手段を具備する通信装置において、
上記通信装置の着信信号検出回路と通信回路とを切り換える第１スイッチ手段と；
上記電話回線と上記第１スイッチ手段との間のライン間に接続し、ダイヤルパルスを生成する第２スイッチ手段と；
を有し、上記第２スイッチ手段によるダイヤルパルス生成時に、上記第１スイッチ手段を着信信号検出回路側に接続することを特徴とする通信装置。
【請求項４】
請求項３において、
上記通信装置の内部を経由し、上記電話回線を、第２通信手段に接続する接続手段と；
上記接続手段と上記電話回線との間を、接続、切断する第３スイッチ手段と；を有し、上記第２スイッチ手段がダイヤルパルスを生成するときに、上記第３スイッチ手段を切断側にすることを特徴とする通信装置。
【請求項５】
電話回線に接続して通信する第１通信装置を接続するための第１接続手段と、回線制御装置を経由して上記電話回線に接続して通信する第２通信装置を接続するための第２接続手段とを具備する回線制御装置において、
上記電話回線を、上記第１接続手段、または上記第２接続手段に接続する第１スイッチ手段と；
上記電話回線と上記第１スイッチ手段との間のライン間に接続し、ダイヤルパルスを生成する第２スイッチ手段と；
を有し、上記第２スイッチ手段によるダイヤルパルス生成時に、上記第１スイッチ手段を、上記第２接続手段へ接続することを特徴とする回線制御装置。
【請求項６】
請求項５において、
上記第２接続手段を、上記第１スイッチ手段と接続し、切断する第３スイッチ手段を有し、
上記第２スイッチ手段によるダイヤルパルス生成時に、上記第３スイッチ手段を切断側にすることを特徴とする回線制御装置。
【請求項７】
電話回線に接続して通信する通信装置を接続するための第１接続手段を具備する回線制御装置において、
上記回線制御装置の着信信号検出回路と第１接続手段とを切り換える第１スイッチ手段と；
上記電話回線と上記第１スイッチ手段との間のライン間に接続し、ダイヤルパルスを生成する第２スイッチ手段と；
を有し、上記第２スイッチ手段によるダイヤルパルス生成時に、上記第１スイッチ手段を着信信号検出回路側に接続することを特徴とする回線制御装置。
【請求項８】
請求項７において、
上記回線制御装置の内部を経由し、上記電話回線を、第２通信手段に接続するための手段と；
上記第２通信手段と上記電話回線との間を、接続、切断する第３スイッチ手段と；
を有し、上記第２スイッチ手段がダイヤルパルスを生成するときに、上記第３スイッチ手段を切断側にすることを特徴とする回線制御装置。
【発明の詳細な説明】
【０００１】
【発明の属する技術分野】
本発明は、ダイヤルパルスを生成する通信装置および回線制御装置に関する。
【０００２】
【従来の技術】
図６は、第１の従来の通信装置６００を示す図である。
【０００３】
第１の従来の通信装置６００は、１本のアナログ公衆回線（ＰＳＴＮ）に、通信手段ＣＳ６１、ＣＳ６２が接続され、第１通信手段ＣＳ６１としてのファクシミリ装置に、第２通信手段ＣＳ６２としての電話機を接続して使用する従来例である。
【０００４】
従来の通信装置６００において、端子Ｌ１、Ｌ２に、回線が接続され、端子Ｔ１、Ｔ２に、電話機が接続されている。第１通信手段ＣＳ６１は、モデム６６（ファクシミリモデムやデータ通信モデム）を有し、通信を行う。
【０００５】
そして、第１スイッチ手段としてのＣＭＬリレー６１を設け、回線を、電話機側に接続するか、第１通信手段ＣＳ６１のモデム６６側に接続するか、どちらかを使用できる。すなわち、ＣＭＬリレー６１が０側であれば、回線は、電話機に接続され、１側であれば、回線は、モデム６６に接続される。
【０００６】
また、第１通信手段ＣＳ６１が通信を行う際に、直流捕捉部６４が、回線の直流電流を流し、トランス６５が、交流信号を伝達し、モデム６６で通信する。通信を行うときには、Ｓリレー６３も閉結状態にする。
【０００７】
第１通信手段ＣＳ６１は、第２スイッチ手段であるＰリレー６２とＳリレー６３とを制御し、ダイヤルパルスを生成する。Ｐリレー６２は、パルスを生成するリレースイッチであり、Ｓリレー６３は、ダイヤルパルスの電流波形に対するトランス６５の影響を除去するリレースイッチである。
【０００８】
次に、ＣＭＬリレー６１、Ｐリレー６２、Ｓリレー６３のダイヤルパルス生成制御シーケンスについて説明する。
【０００９】
図７（１）、図７（２）は、上記従来例において、ダイヤル番号「４」、「３」を１桁ずつ連続して生成する場合を示す例である。
【００１０】
図７（１）において、まず、ＣＭＬリレー６１は、常に１側であり、モデム側に接続されている。ダイヤルパルスを開始するときは、開放状態であるＰリレー６２を閉結し、所定の一定時間後に、Ｓリレー６３を開放する。その後、Ｐリレー６２を、番号の回数だけ開放、閉結させる。
【００１１】
この場合、一桁目は「４」であるので、開放、閉結を、４回繰り返す。Ｐリレー６２を最後に閉結し、所定の一定時間後に、Ｓリレー６３を閉結し、所定の一定時間後に、Ｐリレー６２を開放する。その後に、桁間（Ｉｎｔｅｒ　Ｄｉｇｉｔ　Ｐｏｓｅ）の時間を空け、上記と同様の制御方法で、次の桁を生成する。
【００１２】
２桁目は「３」であるので、Ｐリレー６２を閉結し、Ｓリレー６３を開放した後に、Ｐリレー６２について、開放、閉結を３回繰り返す。このようにして、回線電流は、ダイヤルの番号の回数だけ０アンペアになるので、ダイヤルパルスを生成することができる。
【００１３】
図７（２）に示す例も、上記と同様に、ダイヤル番号「４」、「３」を１桁ずつ連続して生成する場合の例であり、図７（１）に示す場合との違いは、桁間（Ｉｎｔｅｒ　Ｄｉｇｉｔ　Ｐｏｓｅ）で、Ｓリレー６３を開放したままで、閉結せず、Ｐリレー６２を閉結したままで、開放しないように制御する点である。この場合でも、上記と同様に、回線電流は、ダイヤルの番号の数だけ、０アンペアになるので、ダイヤルパルスを生成することができる。
【００１４】
図８は、第２の従来の通信装置７００を示す図である。
【００１５】
第２の従来の通信装置７００は、アナログ公衆回線（ＰＳＴＮ）を接続して通信を行う通信手段（従来のファクシミリ装置等）を示すブロック図である。
【００１６】
Ｌ１、Ｌ２に、回線が接続され、第１通信手段ＣＳ６１は、モデム６６（ファクシミリモデムやデータ通信モデム）を有し、第１スイッチ手段としてのＣＭＬリレー６１を有し、回線を、着信検出回路６７か、通信手段の通信回路かに、切り換え、接続する。すなわち、ＣＭＬリレー６１が０側であれば、回線が、着信検出回路６７に接続され、１側であれば、回線が、通信回路に接続される。通信手段が、待機状態であるときに、０側に接続し、ダイヤルパルス生成時や通信を行う際には、１側に接続する。
【００１７】
ここで、着信検出回路６７は、待機状態時に、回線から着信信号があると、それを検出する回路であり、コンデンサと抵抗とによって構成されている。通信回路は、Ｐリレー６２と、Ｓリレー６３と、直流捕捉部６４と、トランス６５と、モデム６６とによって構成されている。
【００１８】
直流捕捉部６４が、電話回線の直流電流を流すことによって、局交換機は、通信手段が回線を接続していることを認識する。トランス６５を介して、交流信号が伝達され、モデム６６が通信を行う。通信を行うときは、Ｓリレー６３も閉結状態にする。
【００１９】
第１通信手段ＣＳ６１は、第２スイッチ手段であるＰリレー６２とＳリレー６３とを制御し、ダイヤルパルスを生成する。Ｐリレー６２は、パルスを生成するリレースイッチであり、Ｓリレー６３は、ダイヤルパルスの電流波形に対するトランス６５の影響を除去するリレースイッチである。
【００２０】
第２の従来の通信装置７００において、ＣＭＬリレー６１、Ｐリレー６２、Ｓリレー６３のダイヤルパルス生成制御シーケンスは、第１の従来の通信装置６００におけるシーケンスと同じである。
【００２１】
また、特許第３２５８３８０号の発明は、ＣＭＬリレーよりも電話回線側のライン間にダイヤルパルス発生器を接続するものである。
【００２２】
【発明が解決しようとする課題】
上記従来の通信装置６００、７００において、Ｐリレー６２によってダイヤルパルスを生成しているときは、上記のように、ダイヤルパルスの電流波形に対するトランス６５の影響を除去するために、必ずＳリレー６３を設けて、それを開放状態にする。
【００２３】
逆に、Ｓリレー６３を閉結し、または、Ｓリレー６３が無くて、ショート状態であると、トランス６５の影響によって、ダイヤルパルスの電流波形の立ち上がり、立ち下がり時間が長くなり、各国の回線規格を満足することができない。
【００２４】
つまり、ダイヤルパルスを生成するためには、Ｓリレー６３とその制御とは、不可欠のものである。
【００２５】
しかし、Ｓリレー６３を設け、その制御を実行すると、高価であるという問題があり、また、部品実装スペースが必要であるという問題があり、さらに、通信中に、Ｓリレー６３を閉結する必要があるので、その駆動消費電力も必要になるという問題がある。
【００２６】
また、特許第３２５８３８０号の発明は、電話機とモデムの電話回線切換時に電話回線の閉路形成を行うためのものであり、ダイヤルパルス発生のためのＣＭＬリレー動作に関する記述は特に無い。
【００２７】
本発明は、アナログ公衆回線や構内交換機に接続して使用する通信装置または回線制御装置において、安価で、省スペースで、省電力である通信手段を提供することを目的とするものである。
【００２８】
【課題を解決するための手段】
本発明は、電話回線に接続して通信する第１通信手段と、上記第１通信手段を経由して上記電話回線に接続して通信する第２通信手段を接続するための接続手段とを具備する通信装置において、上記第１通信手段は、上記電話回線を、上記第１通信手段、または上記第２通信手段に接続する第１スイッチ手段と、上記電話回線と上記第１スイッチ手段との間のライン間に接続し、ダイヤルパルスを生成する第２スイッチ手段とを有し、上記第２スイッチ手段によるダイヤルパルス生成時に、上記第１スイッチ手段を、上記接続手段へ接続することを特徴とする通信装置である。
【００２９】
また、本発明は、電話回線に接続して通信する通信手段を具備する通信装置において、上記通信装置の着信信号検出回路と通信回路とを切り換える第１スイッチ手段と、上記電話回線と上記第１スイッチ手段との間のライン間に接続し、ダイヤルパルスを生成する第２スイッチ手段とを有し、上記第２スイッチ手段によるダイヤルパルス生成時に、上記第１スイッチ手段を着信信号検出回路側に接続することを特徴とする通信装置である。
【００３０】
さらに、本発明は、電話回線に接続して通信する第１通信装置を接続するための第１接続手段と、回線制御装置を経由して上記電話回線に接続して通信する第２通信装置を接続するための第２接続手段とを具備する回線制御装置において、上記電話回線を、上記第１接続手段、または上記第２接続手段に接続する第１スイッチ手段と、上記電話回線と上記第１スイッチ手段との間のライン間に接続し、ダイヤルパルスを生成する第２スイッチ手段とを有し、上記第２スイッチ手段によるダイヤルパルス生成時に、上記第１スイッチ手段を、上記第２接続手段へ接続することを特徴とする回線制御装置である。
【００３１】
さらに、本発明は、電話回線に接続して通信する通信装置を接続するための第１接続手段を具備する回線制御装置において、上記回線制御装置の着信信号検出回路と第１接続手段とを切り換える第１スイッチ手段と、上記電話回線と上記第１スイッチ手段との間のライン間に接続し、ダイヤルパルスを生成する第２スイッチ手段とを有し、上記第２スイッチ手段によるダイヤルパルス生成時に、上記第１スイッチ手段を着信信号検出回路側に接続することを特徴とする回線制御装置である。
【００３２】
【発明の実施の形態および実施例】
［第１実施例］
図１は、本発明の第１実施例である通信装置１００を示す図である。
【００３３】
通信装置（回線制御装置）１００は、具体的には、ファクシミリ装置であり、アナログ公衆回線にＬ１、Ｌ２の２線で接続されている。
【００３４】
ＣＭＬリレー１１は、第１スイッチ手段の例であり、０側へ接続している場合に、回線を、第２通信手段ＣＳ１２としての電話機へ接続し、１側へ接続している場合に、第１通信手段ＣＳ１１の通信手段としてのモデム１５（ファクシミリモデム）へ接続する。すなわち、ＣＭＬリレー１１は、通信装置１００としてのファクシミリ装置が動作していない待機状態や電話機動作状態であるときに、０側に接続し、ファクシミリ装置がモデム１５によって通信動作するときに、１側に接続する。
【００３５】
トランス１３は、通信上のアナログ信号を伝達する。
【００３６】
直流捕捉部１４は、電話回線に直流電流を流すものであり、電話回線に直流電流を流すことによって、通信装置１００としてのファクシミリ装置が回線に接続されていることを、局交換機が認識する。
【００３７】
ＣＭＬリレー１１を１側へ接続しているときに、回線が、トランス１３、直流捕捉部１４に接続されているので、通信装置１００としてのファクシミリ装置は、モデム１５による通信が可能である。
【００３８】
Ｐリレー１２は、ダイヤルパルスを生成する第２スイッチの例であり、回線とＣＭＬリレー１１との間に、回線を閉結できるように回線間に接続する。Ｐリレー１２は、通常は開放状態であるが、ダイヤルパルス生成時に、閉結、開放を繰り返す。
【００３９】
ここで、上述の各種リレーの制御は、不図示のファクシミリ装置のＣＰＵ等の制御手段によって行われている。
【００４０】
次に、上記実施例におけるダイヤルパルス生成制御シーケンスについて説明する。
【００４１】
図２は、通信装置１００において、ダイヤルパルス生成制御を示すシーケンス図である。
【００４２】
図２（１）は、ダイヤル番号「４」、「３」を１桁ずつ連続して生成する場合を示すシーケンスである。
【００４３】
図２（１）に示す場合において、まず、ダイヤルパルス開始前に、ＣＭＬリレー１１は、１側であり、回線を捕捉している。ダイヤルパルスの生成を開始するときには、開放状態にあったＰリレー１２を閉結し、所定の一定時間後に、ＣＭＬリレー１１を０側に切り換え、回線を、トランス１３、直流捕捉部１４から電話機側へ接続し、その後に、Ｐリレー１２を、ダイヤル番号に対応する回数だけ開放、閉結させる。
【００４４】
この場合、一桁目が「４」であるので、開放、閉結を、４回繰り返す。Ｐリレー１２を最後に閉結し、所定の一定時間後に、ＣＭＬリレー１１を１側へ接続し、所定の一定時間後に、Ｐリレー１２を開放する。その後に、桁間（ＩｎｔｅｒＤｉｇｉｔ　Ｐｏｓｅ）の時間を空け、上記と同様の制御方法によって、次の桁を生成する。
【００４５】
２桁目が「３」であるので、Ｐリレー１２を閉結し、ＣＭＬリレー１１を０側へ接続した後に、Ｐリレー１２の開放、閉結を、３回繰り返す。このようにして、回線電流は、ダイヤルの番号の回数だけ０アンペアになり、ダイヤルパルス生成時に、トランス１３や直流捕捉部１４が、回線から切り離されるので、ダイヤルパルスを問題なく生成することができる。
【００４６】
図２（２）は、ダイヤル番号「４」、「３」を１桁ずつ連続して生成する場合を示すシーケンスである。
【００４７】
図２（２）に示すシーケンスにおいて、図２（１）に示すシーケンスと異なる点は、桁間（Ｉｎｔｅｒ　Ｄｉｇｉｔ　Ｐｏｓｅ）で、ＣＭＬリレー１１を０側へ接続したままで、１側へ接続せず、Ｐリレー１２を閉結したままで、開放しないように制御する点である。
【００４８】
この場合でも、上記と同様に、回線電流は、ダイヤルの番号に対応する回数だけ、０アンペアになり、ダイヤルパルス生成時に、トランス１３や直流捕捉部１４が、回線から切り離されるので、ダイヤルパルスを問題なく生成することができる。
【００４９】
上記のように、通信装置１００では、第１通信手段ＣＳ１１であるモデムと、第２通信手段ＣＳ１２である電話機との間を、切り換え、電話回線を接続するＣＭＬリレー１１と、ＣＭＬリレー１１よりも電話回線側のライン間に接続するＰリレー１２とによって構成し、ダイヤルパルス生成時には、第１スイッチ手段としてのＣＭＬリレー１１を電話機側に接続し、第２スイッチ手段としてのＰリレー１２を制御して開閉動作を行うので、規格に沿ったダイヤルパルス信号を、問題なく生成することができる。
【００５０】
ここで、上述の各種リレーの制御は、ファクシミリ装置の不図示のＣＰＵ等の制御手段によって行われている。
【００５１】
［第２実施例］
図３は、本発明の第２実施例である通信装置（回線制御装置）２００を示す図である。
【００５２】
通信装置２００は、具体的には、ファクシミリ装置に、Ｈリレー１６を加えたものである。
【００５３】
Ｈリレー１６は、第２通信手段ＣＳ１２としての電話機を、第１スイッチ手段としてのＣＭＬリレー１１に接続、切断する第３スイッチ手段の例である。また、Ｈリレー１６は、０側へ接続しているときに、第２通信手段としての電話機を、ＣＭＬリレー１１へ接続し、１側へ接続しているときに、第２通信手段としての電話機を、ＣＭＬリレー１１との接続を切断する。
【００５４】
通信装置２００としてのファクシミリ装置において、ダイヤルパルス生成制御シーケンス中に、Ｈリレー１６を必ず、１側へ接続する。すなわち、ダイヤルパルスを生成する前に、ＣＭＬリレー１１を閉結するときに、Ｈリレー１６を１に接続するか、または、Ｐリレー１２を最初に閉結するタイミングで、Ｈリレー１６を１に接続する。
【００５５】
また、ダイヤルパルス生成終了後か、または通信終了後に、ＣＭＬリレー１１が０側へ戻るタイミングで、Ｈリレー１６を０側に戻す。
【００５６】
ここで、上述の各種リレーの制御は、ファクシミリ装置の不図示のＣＰＵ等の制御手段の指示によって行われている。
【００５７】
第１通信装置ＣＳ１１としてのファクシミリ装置では、Ｈリレー１６によって、電話機を切り離すので、ダイヤルパルス生成中に電話機をオフフックされても、ダイヤルパルス信号の生成には全く影響しなくなる。
【００５８】
［第３実施例］
図４は、本発明の第３実施例である通信装置（回線制御装置）３００を示す図である。
【００５９】
通信装置３００は、具体的には、ファクシミリ装置であり、アナログ公衆回線にＬ１、Ｌ２の２線で接続される。
【００６０】
通信装置３００としてのファクシミリ装置は、Ｐリレー１２、トランス１３、直流捕捉部１４、モデム１５を有する点は、通信装置１００と同じである。
【００６１】
着信検出回路１７は、コンデンサと抵抗とによって構成されている一定のインピーダンスを有し、回線からの呼び出し信号（リンギング信号）を検出する回路である。たとえば、図示しないフォトカプラの発光側を直列に接続し、電流を流し、受光側で発生した信号によって、呼び出し信号を検出する。
【００６２】
ＣＭＬリレー１１は、０側へ接続しているときに、回線を、着信検出回路１７へ接続し、１側へ接続しているときに、第１通信手段ＣＳ１１の通信手段であるモデム１５へ接続する。
【００６３】
すなわち、通信装置３００としてのファクシミリ装置が動作していない待機状態では、０側に接続し、着信信号の到来を待ち、通信装置３００としてのファクシミリ装置がモデム１５によって通信動作している状態では、１側に接続する。ＣＭＬリレー１１を１側へ接続しているときには、回線が、トランス１３、直流捕捉部１４に接続されているので、通信装置３００としてのファクシミリ装置は、モデム１５による通信が可能である。
【００６４】
通信装置３００としてのファクシミリ装置におけるダイヤルパルス生成制御シーケンスは、通信装置１００、２００としてのファクシミリ装置におけるシーケンスと同じである。
【００６５】
通信装置３００としてのファクシミリ装置において、図２（１）に示すように、ダイヤル番号「４」、「３」を１桁ずつ連続して生成する場合、まず、ダイヤルパルス開始前に、ＣＭＬリレー１１は１側であり、回線を捕捉している。
【００６６】
ダイヤルパルスを開始するときには、開放状態にあったＰリレー１２を閉結し、所定の一定時間後に、ＣＭＬリレー１１を０側に切り換え、回線を、トランス１３、直流捕捉部１４から着信検出部１７へ接続する。その後に、Ｐリレー１２を、番号の数に対応する回数だけ、開放、閉結を繰り返す。
【００６７】
この場合、一桁目は「４」であるので、開放、閉結を４回、繰り返す。Ｐリレー１２を最後に閉結し、所定の一定時間後に、ＣＭＬリレー１１を１側へ接続し、所定の一定時間後に、Ｐリレー１２を開放する。その後に、桁間（ＩｎｔｅｒＤｉｇｉｔ　Ｐｏｓｅ）の時間を空けて、上記と同様の制御方法で、次の桁を生成する。
【００６８】
２桁目は「３」であるので、Ｐリレー１２を閉結し、ＣＭＬリレー１１を０側へ接続した後に、Ｐリレー１２を、３回開放、閉結する。このようにして、回線電流は、ダイヤルの番号に対応する回数だけ、０アンペアになり、ダイヤルパルス生成時に、トランス１３、直流捕捉部１４が、回線から切り離されるので、ダイヤルパルスを問題なく生成することができる。
【００６９】
通信装置３００としてのファクシミリ装置において、図２（２）に示すように、ダイヤル番号「４」、「３」のダイヤルパルスを１桁ずつ連続して生成し、しかも、桁間（Ｉｎｔｅｒ　Ｄｉｇｉｔ　Ｐｏｓｅ）で、ＣＭＬリレー１１を０側へ接続したままで、１側へ接続せず、Ｐリレー１２を閉結したまま、開放しないよう制御する。この場合、上記と同様に、回線電流は、ダイヤルの番号に対応する回数だけ、０アンペアになり、ダイヤルパルス生成時に、トランス１３、直流捕捉部１４が、回線から切り離されるので、ダイヤルパルスを問題なく生成することができる。
【００７０】
上記のように、通信装置３００としてのファクシミリ装置では、通信装置の通信手段であるモデム１５と、着信検出回路１７との間を切り換え、電話回線を接続するＣＭＬリレー１１と、ＣＭＬリレー１１から電話回線側にライン間に接続するＰリレー１２とによって構成し、ダイヤルパルス生成時には、ＣＭＬリレー１１を、着信検出回路１７側に接続し、Ｐリレー１２を制御し、開閉動作を行うので、各国の規格に沿ったダイヤルパルス信号を問題なく生成することができる。
【００７１】
ここで、上述の各種リレーの制御は、ファクシミリ装置の不図示のＣＰＵ等の制御手段の指示によって行われている。
【００７２】
［第４実施例］
図５は、本発明の第４実施例である通信装置（回線制御装置）４００としてのファクシミリ装置を示す構成図である。
【００７３】
通信装置４００は、具体的には、ファクシミリ装置であり、アナログ公衆回線にＬ１、Ｌ２の２線で接続されている。
【００７４】
通信装置４００としてのファクシミリ装置は、図４に示す通信装置３００において、第２通信手段ＣＳ１２としての電話機に、回線を接続する経路と、この経路の間に設置されているＨリレー１６とを有する装置である。
【００７５】
Ｈリレー１６は、第２通信手段ＣＳ１２としての電話機を、回線と接続、切断する第３スイッチ手段の例である。Ｈリレー１６を、０側へ接続しているときに、第２通信手段ＣＳ１２としての電話機を、回線へ接続し、１側へ接続しているときに、第２通信手段とＣＳ１２しての電話機を、回線から切断する。
【００７６】
通信装置４００としてのファクシミリ装置において、ダイヤルパルス生成制御シーケンス中のＨリレー１６を必ず、１側へ接続する。すなわち、ダイヤルパルスを生成する前にＣＭＬリレー１１を閉結するときに、Ｈリレー１６を１側へ接続するか、または、Ｐリレー１２を最初に閉結するタイミングで、Ｈリレー１６を１側へ接続する
また、ダイヤルパルス生成終了後に、Ｈリレー１６を０側に戻すか、または通信終了後に、Ｈリレー１６を０側に戻す。
【００７７】
通信装置４００としてのファクシミリ装置において、上記のように、Ｈリレー１６を設け、Ｈリレー１６によって電話機を切り離すので、ダイヤルパルス生成中に電話機をオフフックされても、ダイヤルパルス信号に全く影響しない。
【００７８】
ここで、上述の各種リレーの制御は、ファクシミリ装置の不図示のＣＰＵ等の制御手段の指示によって行われている。
【００７９】
通信装置１００、２００、３００、４００において、ＣＭＬリレー１１、Ｈリレー１６は、２回路同時に動作するリレーであるが、その代わりに、１回路リレーを２個使用するようにしてもよい。
【００８０】
上記実施例によれば、電話回線に接続して通信する第１通信手段と、上記第１通信手段を経由して上記電話回線に接続して通信する第２通信手段を接続するための接続手段とを具備する通信装置において、上記第１通信手段は、第１通信手段ＣＳ１１または第２通信手段ＣＳ１２に、上記電話回線を接続する第１スイッチ手段と、上記電話回線と上記第１スイッチ手段との間のライン間に接続し、ダイヤルパルスを生成する第２スイッチ手段とを有し、この第２スイッチ手段によるダイヤルパルス生成時に、上記第１スイッチ手段を、上記接続手段へ接続するので、第１通信手段ＣＳ１１は、問題なく各国の回線規格を満足したダイヤルパルスが生成でき、したがって、従来使用していたＳリレーを必要とせず、安価で、小型で、より低消費電力である通信端末を実現することができる。
【００８１】
また、この場合、上記第２通信手段を、上記第１スイッチ手段と接続し、切断する第３スイッチ手段を有し、上記第２スイッチ手段によるダイヤルパルス生成時に、上記第３スイッチ手段を切断側にするので、第２通信手段ＣＳ１２の状態に影響のないダイヤルパルスを生成して回線に送出することができる。
【００８２】
さらに、上記実施例によれば、電話回線に接続して通信する通信手段を具備する通信装置において、上記通信装置の着信信号検出回路と通信回路とを切り換える第１スイッチ手段と、上記電話回線と上記第１スイッチ手段との間のライン間に接続し、ダイヤルパルスを生成する第２スイッチ手段とを有し、上記第２スイッチ手段によるダイヤルパルス生成時に、上記第１スイッチ手段を着信信号検出回路側に接続するので、通信装置は問題なく各国の回線規格を満足したダイヤルパルスを生成することができ、したがって、従来使用しているＳリレーを必要とせず、安価で、小型で、より低消費電力である通信端末を実現することができる。
【００８３】
この場合、上記通信装置の内部を経由し、上記電話回線を、第２通信手段に接続する接続手段と、上記接続手段と上記電話回線との間を、接続、切断する第３スイッチ手段とを有し、上記第２スイッチ手段がダイヤルパルスを生成するときに、上記第３スイッチ手段を切断側にするので、第２通信手段ＣＳ１２の状態に影響のないダイヤルパルスを生成し、回線に送出することができる。
【００８４】
【発明の効果】
本発明によれば、アナログ公衆回線や構内交換機に接続して使用する通信装置において、安価で、省スペースで、省電力であるという効果を奏する。
【図面の簡単な説明】
【図１】本発明の第１実施例である通信装置１００を示す図である。
【図２】通信装置１００においてダイヤルパルス生成制御を示すシーケンス図である。
【図３】本発明の第２実施例である通信装置２００を示す図である。
【図４】本発明の第３実施例である通信装置３００を示す図である。
【図５】本発明の第４実施例である通信装置４００を示す図である。
【図６】第１の従来の通信装置６００を示す図である。
【図７】上記従来例において、ダイヤル番号「４」、「３」を１桁ずつ連続して生成する場合を示す例である。
【図８】第２の従来の通信装置７００を示す図である。
【符号の説明】
１００、２００、３００、４００…通信装置、
ＣＳ１１…第１通信手段、
ＣＳ１２…第２通信手段、
１１…第１スイッチ手段としてのＣＭＬリレー、
１２…第２スイッチ手段としてのＰリレー。
【図１】
2004064602.tif 000003
【図２】
2004064602.tif 000004
【図３】
2004064602.tif 000005
【図４】
2004064602.tif 000006
【図５】
2004064602.tif 000007
【図６】
2004064602.tif 000008
【図７】
2004064602.tif 000009
【図８】
2004064602.tif 000010